(57)【要約】【課題】  簡単な操作により所望のＷＥＢページの閲覧が可能なアドレス情報管理システムを提供する。【解決手段】  端末装置１００は、インターネット２を介してアドレス情報管理サーバ１に接続する。アドレス情報管理サーバ１では、端末装置１００から送信されてくる端末装置１００のＭＡＣアドレスを外部記憶装置３０に記憶された端末識別情報データベース内に合致するものがあるかどうかにより認証し、認証に成功すると、ブックマークデータベースに記憶されているその端末装置１００用のブックマーク情報をテロップ表示できる形式で端末装置１００に送信する。端末装置１００では、受信したブックマークテロップ情報をテレビ受像器１５０の画面の下部にテロップ表示させる。利用者は、テロップ表示内の番号やタイトルから所望の閲覧先をリモコン１６０を用いて指定し、その指定に基づいて端末装置１００がアドレス情報管理サーバ１に閲覧要求を行なう。【選択図】  図１
2005128616.tif 000002
【特許請求の範囲】
【請求項１】
端末装置とアドレス情報管理サーバとを通信ネットワークを介して接続し、当該アドレス情報管理サーバに記憶されたアドレス情報に対応する前記通信ネットワーク内のＷＥＢページを前記端末装置で閲覧可能とするアドレス情報管理システムであって、
前記アドレス情報管理サーバは、
前記端末装置を識別する固有の識別情報を予め記憶した識別情報記憶手段と、
当該識別情報記憶手段に記憶された識別情報に対応させて、前記ネットワーク内のアドレス情報を前記端末装置用アドレス情報データベースとして記憶したアドレス情報記憶手段と、
前記端末装置が通信ネットワークを介して接続した場合に、当該端末装置からその識別情報を取得する識別情報取得手段と、
当該識別情報取得手段が取得した識別情報が、前記識別情報記憶手段に記憶された識別情報と一致した場合に、前記アドレス情報記憶手段に記憶された当該端末装置用のアドレス情報を当該端末装置に送信するアドレス情報送信手段とを備え、
前記端末装置は、
前記ネットワーク内のＷＥＢページを表示する表示手段と、
前記アドレス情報管理サーバから送信されるアドレス情報を受信するアドレス情報受信手段と、
前記アドレス情報受信手段が受信したアドレス情報を前記表示手段にテロップ表示させるテロップ表示制御手段と、
当該テロップ表示制御手段によりテロップ表示されたアドレス情報を選択して入力する入力手段と、
当該入力手段により入力されたアドレス情報を前記通信ネットワークに送信して当該アドレス情報を有する前記通信ネットワーク内のＷＥＢサーバに閲覧情報を要求する閲覧情報要求手段と、
前記ＷＥＢサーバから送信された閲覧情報をＷＥＢページとして前記表示手段に表示する閲覧手段と、
を備えたことを特徴とするアドレス情報管理システム。
【請求項２】
前記アドレス情報送信手段は、前記端末装置用のアドレス情報を前記端末装置でテロップ表示させるためのテロップ表示データとして送信することを特徴とする請求項１に記載のアドレス情報管理システム。
【請求項３】
前記アドレス情報管理サーバは、
前記端末装置が閲覧した前記ＷＥＢページのアドレス情報を含む履歴情報を記憶する閲覧履歴記憶手段と、
当該閲覧履歴記憶手段に記憶されたアドレス情報に基づき前記アドレス情報データベースを編集するアドレス情報編集手段とを備えたことを特徴とする請求項１又は２に記載のアドレス情報管理システム。
【請求項４】
前記アドレス情報編集手段は、前記閲覧履歴記憶手段に記憶されたアドレス情報のうち、閲覧頻度の高いアドレス情報を前記アドレス情報データベースに追加し、閲覧頻度の低いアドレス情報を前記アドレス情報データベースから削除することを特徴とする請求項１乃至又３のいずれかに記載のアドレス情報管理システム。
【請求項５】
前記アドレス情報編集手段は、前記閲覧履歴記憶手段に記憶されたアドレス情報のうち、直前に閲覧したＷＥＢページのアドレス情報を前記アドレス情報データベースに追加し、追加したアドレス情報に対応するＷＥＢページの前に閲覧したＷＥＢページのアドレス情報を前記アドレス情報データベースから削除することを特徴とする請求項１乃至４のいずれかに記載のアドレス情報管理システム。
【請求項６】
前記識別情報は、前記端末装置のＭＡＣアドレスであることを特徴とする請求項１乃至５のいずれかに記載のアドレス情報管理システム。
【請求項７】
端末装置と通信ネットワークを介して接続され、前記端末装置で閲覧可能なＷＥＢページのアドレス情報を記憶したアドレス情報管理サーバであって、
前記端末装置を識別する固有の識別情報を予め記憶した識別情報記憶手段と、
当該識別情報記憶手段に記憶された識別情報に対応させて、前記ネットワーク内のアドレス情報を前記端末装置用アドレス情報データベースとして記憶したアドレス情報記憶手段と、
前記端末装置が通信ネットワークを介して接続した場合に、当該端末装置からその識別情報を取得する識別情報取得手段と、
当該識別情報取得手段が取得した識別情報が、前記識別情報記憶手段に記憶された識別情報と一致した場合に、前記アドレス情報記憶手段に記憶された当該端末装置用のアドレス情報を当該端末装置に送信するアドレス情報送信手段と、
を備えたことを特徴とするアドレス情報管理サーバ。
【請求項８】
前記アドレス情報送信手段は、前記端末装置用のアドレス情報を前記端末装置でテロップ表示させるためのテロップ表示データとして送信することを特徴とする請求項７に記載のアドレス情報管理サーバ。
【請求項９】
前記端末装置が閲覧した前記ＷＥＢページのアドレス情報を含む履歴情報を記憶する閲覧履歴記憶手段と、
当該閲覧履歴記憶手段に記憶されたアドレス情報に基づき前記アドレス情報データベースを編集するアドレス情報編集手段とを備えたことを特徴とする請求項７又は８に記載のアドレス情報管理サーバ。
【請求項１０】
前記アドレス情報編集手段は、前記閲覧履歴記憶手段に記憶されたアドレス情報のうち、閲覧頻度の高いアドレス情報を前記アドレス情報データベースに追加し、閲覧頻度の低いアドレス情報を前記アドレス情報データベースから削除することを特徴とする請求項７乃至９のいずれかに記載のアドレス情報管理サーバ。
【請求項１１】
前記アドレス情報編集手段は、前記閲覧履歴記憶手段に記憶されたアドレス情報のうち、直前に閲覧したＷＥＢページのアドレス情報を前記アドレス情報データベースに追加し、追加したアドレス情報に対応するＷＥＢページの前に閲覧したＷＥＢページのアドレス情報を前記アドレス情報データベースから削除することを特徴とする請求項７乃至１０のいずれかに記載のアドレス情報管理サーバ。
【請求項１２】
前記識別情報は、前記端末装置のＭＡＣアドレスであることを特徴とする請求項７乃至１１のいずれかに記載のアドレス情報管理サーバ。
【請求項１３】
アドレス情報を記憶したアドレス情報管理サーバと通信ネットワークを介して接続され、前記通信ネットワーク内のＷＥＢページを表示手段に表示させる端末装置であって、
当該端末装置を識別する固有の識別情報と、
当該識別情報を前記アドレス情報管理サーバに送信する識別情報送信手段と、
当該識別情報送信手段により送信された識別情報が認証された場合に、前記アドレス情報管理サーバから送信される当該端末装置用のアドレス情報を受信するアドレス情報受信手段と、
前記アドレス情報受信手段が受信したアドレス情報を前記表示手段にテロップ表示させるテロップ表示制御手段と、
当該テロップ表示制御手段により前記表示手段にテロップ表示されたアドレス情報を選択して入力する入力手段と、
当該入力手段により入力されたアドレス情報を前記通信ネットワークに送信して当該アドレス情報を有する前記通信ネットワーク内のＷＥＢサーバに閲覧情報を要求する閲覧情報要求手段と、
前記ＷＥＢサーバから送信された閲覧情報をＷＥＢページとして前記表示手段に表示させる閲覧表示制御手段と、
を備えたことを特徴とする端末装置。
【請求項１４】
前記アドレス情報受信手段が受信するアドレス情報は、前記表示手段にテロップ表示させるためのテロップ表示データとして送信されることを特徴とする請求項１３に記載の端末装置。
【請求項１５】
前記識別情報は、前記端末装置のＭＡＣアドレスであることを特徴とする請求項１３又は１４に記載の端末装置。
【発明の詳細な説明】
【技術分野】
【０００１】
本発明は、インターネット等のアドレスを管理するアドレス情報管理システムに関するものである。
【背景技術】
【０００２】
一般に、インターネット等のネットワーク上で提供されているＷＥＢページ等の情報を端末装置において閲覧するには、ネットワークに接続して該当ＷＥＢページのアドレス（ＵＲＬ）を入力する等して指定し、画面に表示させるように構成されている。端末装置の閲覧ソフト（ブラウザ）には、気に入ったＷＥＢページや頻繁にアクセスするＷＥＢページについて、操作者の入力の手間を省き、次回以降のアクセスを容易にするため、そのＵＲＬアドレス情報を登録しておく機能が備えられている。このような機能は、ブックマークやお気に入り等と呼ばれている。
【０００３】
また、端末装置が変わっても、登録したアドレス情報を呼び出して使用したいという要望に応えるため、ネットワーク上に置かれたＷＷＷサーバに、個人用のブックマークを登録し、登録会員がこれを呼び出して閲覧できるようなものもある。例えば、特許文献１では、閲覧したＷＥＢページや検索結果のＷＥＢページに基づいて個人用のブックマークを自動作成して提供する方法が開示されている。
【特許文献１】特開２００２−９９５６８号公報
【発明の開示】
【発明が解決しようとする課題】
【０００４】
しかしながら、上記のようなブックマークを利用するには、ある程度コンピュータの操作に習熟する必要があり、高齢者等が自分で操作するには困難を感じることも多かった。
【０００５】
本発明は上記問題を解決するためになされたものであり、簡単な操作により所望のＷＥＢページの閲覧が可能なアドレス情報管理システムを提供することを目的とする。
【課題を解決するための手段】
【０００６】
上記目的を達成するために、本発明の第一の発明は、端末装置とアドレス情報管理サーバとを通信ネットワークを介して接続し、当該アドレス情報管理サーバに記憶されたアドレス情報に対応する前記通信ネットワーク内のＷＥＢページを前記端末装置で閲覧可能とするアドレス情報管理システムであって、前記アドレス情報管理サーバは、前記端末装置を識別する固有の識別情報を予め記憶した識別情報記憶手段と、当該識別情報記憶手段に記憶された識別情報に対応させて、前記ネットワーク内のアドレス情報を前記端末装置用アドレス情報データベースとして記憶したアドレス情報記憶手段と、前記端末装置が通信ネットワークを介して接続した場合に、当該端末装置からその識別情報を取得する識別情報取得手段と、当該識別情報取得手段が取得した識別情報が、前記識別情報記憶手段に記憶された識別情報と一致した場合に、前記アドレス情報記憶手段に記憶された当該端末装置用のアドレス情報を当該端末装置に送信するアドレス情報送信手段とを備え、前記端末装置は、前記ネットワーク内のＷＥＢページを表示する表示手段と、前記アドレス情報管理サーバから送信されるアドレス情報を受信するアドレス情報受信手段と、前記アドレス情報受信手段が受信したアドレス情報を前記表示手段にテロップ表示させるテロップ表示制御手段と、当該テロップ表示制御手段によりテロップ表示されたアドレス情報を選択して入力する入力手段と、当該入力手段により入力されたアドレス情報を前記通信ネットワークに送信して当該アドレス情報を有する前記通信ネットワーク内のＷＥＢサーバに閲覧情報を要求する閲覧情報要求手段と、前記ＷＥＢサーバから送信された閲覧情報をＷＥＢページとして前記表示手段に表示する閲覧手段とを備えている。
【０００７】
また、本発明は、前記アドレス情報送信手段が、前記端末装置用のアドレス情報を前記端末装置でテロップ表示させるためのテロップ表示データとして送信してもよい。
【０００８】
また、本発明は、前記アドレス情報管理サーバが、前記端末装置が閲覧した前記ＷＥＢページのアドレス情報を含む履歴情報を記憶する閲覧履歴記憶手段と、当該閲覧履歴記憶手段に記憶されたアドレス情報に基づき前記アドレス情報データベースを編集するアドレス情報編集手段とを備えてもよい。
【０００９】
また、本発明は、前記アドレス情報編集手段が、前記閲覧履歴記憶手段に記憶されたアドレス情報のうち、閲覧頻度の高いアドレス情報を前記アドレス情報データベースに追加し、閲覧頻度の低いアドレス情報を前記アドレス情報データベースから削除してもよい。
【００１０】
また、本発明は、前記アドレス情報編集手段が、前記閲覧履歴記憶手段に記憶されたアドレス情報のうち、直前に閲覧したＷＥＢページのアドレス情報を前記アドレス情報データベースに追加し、追加したアドレス情報に対応するＷＥＢページの前に閲覧したＷＥＢページのアドレス情報を前記アドレス情報データベースから削除するようにしてもよい。
【００１１】
また、本発明は、前記識別情報が、前記端末装置のＭＡＣアドレスであってもよい。
【００１２】
また、本発明の第２の発明は、端末装置と通信ネットワークを介して接続され、前記端末装置で閲覧可能なＷＥＢページのアドレス情報を記憶したアドレス情報管理サーバであって、前記端末装置を識別する固有の識別情報を予め記憶した識別情報記憶手段と、当該識別情報記憶手段に記憶された識別情報に対応させて、前記ネットワーク内のアドレス情報を前記端末装置用アドレス情報データベースとして記憶したアドレス情報記憶手段と、前記端末装置が通信ネットワークを介して接続した場合に、当該端末装置からその識別情報を取得する識別情報取得手段と、当該識別情報取得手段が取得した識別情報が、前記識別情報記憶手段に記憶された識別情報と一致した場合に、前記アドレス情報記憶手段に記憶された当該端末装置用のアドレス情報を当該端末装置に送信するアドレス情報送信手段とを備えている。
【００１３】
また、本発明は、前記アドレス情報送信手段が、前記端末装置用のアドレス情報を前記端末装置でテロップ表示させるためのテロップ表示データとして送信するようにしてもよい。
【００１４】
また、本発明は、前記端末装置が閲覧した前記ＷＥＢページのアドレス情報を含む履歴情報を記憶する閲覧履歴記憶手段と、当該閲覧履歴記憶手段に記憶されたアドレス情報に基づき前記アドレス情報データベースを編集するアドレス情報編集手段とを備えてもよい。
【００１５】
また、本発明は、前記アドレス情報編集手段が、前記閲覧履歴記憶手段に記憶されたアドレス情報のうち、閲覧頻度の高いアドレス情報を前記アドレス情報データベースに追加し、閲覧頻度の低いアドレス情報を前記アドレス情報データベースから削除するようにしてもよい。
【００１６】
また、本発明は、前記アドレス情報編集手段が、前記閲覧履歴記憶手段に記憶されたアドレス情報のうち、直前に閲覧したＷＥＢページのアドレス情報を前記アドレス情報データベースに追加し、追加したアドレス情報に対応するＷＥＢページの前に閲覧したＷＥＢページのアドレス情報を前記アドレス情報データベースから削除するようにしてもよい。
【００１７】
また、本発明は、前記識別情報が、前記端末装置のＭＡＣアドレスであってもよい。
【００１８】
また、本発明の第３の発明は、アドレス情報を記憶したアドレス情報管理サーバと通信ネットワークを介して接続され、前記通信ネットワーク内のＷＥＢページを表示手段に表示させる端末装置であって、当該端末装置を識別する固有の識別情報と、当該識別情報を前記アドレス情報管理サーバに送信する識別情報送信手段と、当該識別情報送信手段により送信された識別情報が認証された場合に、前記アドレス情報管理サーバから送信される当該端末装置用のアドレス情報を受信するアドレス情報受信手段と、前記アドレス情報受信手段が受信したアドレス情報を前記表示手段にテロップ表示させるテロップ表示制御手段と、当該テロップ表示制御手段により前記表示手段にテロップ表示されたアドレス情報を選択して入力する入力手段と、当該入力手段により入力されたアドレス情報を前記通信ネットワークに送信して当該アドレス情報を有する前記通信ネットワーク内のＷＥＢサーバに閲覧情報を要求する閲覧情報要求手段と、前記ＷＥＢサーバから送信された閲覧情報をＷＥＢページとして前記表示手段に表示させる閲覧表示制御手段とを備えている。
【００１９】
また、本発明は、前記アドレス情報受信手段が受信するアドレス情報が、前記表示手段にテロップ表示させるためのテロップ表示データとして送信されるようにしてもよい。
【００２０】
また、本発明は、前記識別情報が、前記端末装置のＭＡＣアドレスであってもよい。
【発明の効果】
【００２１】
本発明のアドレス情報管理システムでは、アドレス情報管理サーバに端末装置の識別情報と端末装置用アドレス情報データベースが記憶されているので、端末装置が識別情報を送信してアドレス情報を要求すると、識別情報により認証を行なった上でその端末装置用のアドレス情報が送信される。そして、端末装置では、受信したアドレス情報をテロップ表示させるので、利用者は、テロップ表示されたアドレス情報をリモコン等の入力手段により指定するだけで、所望のＷＥＢページを表示させることができる。
【００２２】
また、本発明では、アドレス情報管理サーバがアドレス情報をテロップ表示データとして端末装置に送信するため、端末装置でテロップ表示に加工するための特別な制御をする必要がない。
【００２３】
さらに、本発明では、アドレス情報管理サーバが端末装置の閲覧履歴を記憶しておき、その閲覧履歴に基づいて端末用のアドレス情報データベースを編集するので、利用者の閲覧行動に沿ったアドレス情報データベースが作成される。
【００２４】
また、閲覧履歴に基づいたアドレス情報データベースの編集では、閲覧頻度が高いものを追加して閲覧頻度の低いものを削除するようにすれば、利用者が何度も利用したＷＥＢページを登録の手間をかけることなくテロップ表示させることができ、再度の閲覧が簡単にできる。
【００２５】
さらに、直前に閲覧したアドレス情報がアドレス情報データベースに追加され、テロップ表示されれば、少し前に見たＷＥＢページをもう一度閲覧したいという要望にすぐ応えることができる。
【００２６】
また、認証に利用する端末装置の識別情報として端末装置のＭＡＣアドレスを用いれば、利用者に入力の手間をかけさせることなく精度の高い認証を行なうことができる。
【００２７】
また、本発明のアドレス情報管理サーバでは、端末装置が識別情報を送信してアドレス情報を要求すると、識別情報により認証を行なった上でその端末装置用のアドレス情報を送信する。その結果、端末装置では、受信したアドレス情報をテロップ表示させるので、利用者は、テロップ表示されたアドレス情報をリモコン等の入力手段により指定するだけで、所望のＷＥＢページを表示させることができる。
【００２８】
また、本発明では、アドレス情報管理サーバがアドレス情報をテロップ表示データとして端末装置に送信するため、端末装置でテロップ表示に加工するための特別な制御をする必要がない。
【００２９】
さらに、本発明では、アドレス情報管理サーバが端末装置の閲覧履歴を記憶しておき、その閲覧履歴に基づいて端末用のアドレス情報データベースを編集するので、利用者の閲覧行動に沿ったアドレス情報データベースが作成される。
【００３０】
また、閲覧履歴に基づいたアドレス情報データベースの編集では、閲覧頻度が高いものを追加して閲覧頻度の低いものを削除するようにすれば、利用者が何度も利用したＷＥＢページを登録の手間をかけることなくテロップ表示させることができ、再度の閲覧が簡単にできる。
【００３１】
さらに、直前に閲覧したアドレス情報がアドレス情報データベースに追加され、テロップ表示されれば、端末装置において少し前に見たＷＥＢページをもう一度閲覧したいという要望にすぐ応えることができる。
【００３２】
また、認証に利用する端末装置の識別情報として端末装置のＭＡＣアドレスを用いれば、利用者に入力の手間をかけさせることなく精度の高い認証を行なうことができる。
【００３３】
さらに、本発明の端末装置では、アドレス情報管理サーバに識別情報を送信してアドレス情報を要求すると、識別情報により認証が行なわれて、その端末装置用のアドレス情報が送信される。その結果、端末装置では、受信したアドレス情報をテロップ表示させるので、利用者は、テロップ表示されたアドレス情報をリモコン等の入力手段により指定しするだけで、所望のＷＥＢページを表示させることができる。
【００３４】
また、本発明では、アドレス情報管理サーバがアドレス情報をテロップ表示データとして端末装置に送信するため、端末装置でテロップ表示に加工するための特別な制御をする必要がない。
【００３５】
さらに、本発明では、アドレス情報管理サーバが端末装置の閲覧履歴を記憶しておき、その閲覧履歴に基づいて端末用のアドレス情報データベースを編集するので、利用者の閲覧行動に沿ったアドレス情報データベースが作成される。
【００３６】
また、閲覧履歴に基づいたアドレス情報データベースの編集では、閲覧頻度が高いものを追加して閲覧頻度の低いものを削除するようにすれば、利用者が何度も利用したＷＥＢページを登録の手間をかけることなくテロップ表示させることができ、再度の閲覧が簡単にできる。
【００３７】
さらに、直前に閲覧したアドレス情報がアドレス情報データベースに追加され、テロップ表示されれば、端末装置において少し前に見たＷＥＢページをもう一度閲覧したいという要望にすぐ応えることができる。
【００３８】
また、アドレス情報管理サーバが認証に利用する端末装置の識別情報として端末装置のＭＡＣアドレスを用いれば、利用者に入力の手間をかけさせることなく精度の高い認証を行なうことができる。
【発明を実施するための最良の形態】
【００３９】
次に、本発明を実施するための最良の形態について図面を参照して説明する。図１は本発明によるアドレス情報管理システムの一例を示す概念図である。図１に示すように、本実施形態のアドレス情報管理システムは、テレビ受像器１５０を表示手段として有し、リモコン１６０によって操作される端末装置１００と、端末装置１００のブックマーク（後述）を管理するアドレス情報管理サーバ１とから構成され、これらがインターネット２に接続されてなっている。インターネット２には、端末装置１００やアドレス情報管理サーバ１の他、端末装置１００からのリクエストに応じてデータベース２３０に蓄積された様々な情報を適宜提供する数多くのＷＷＷサーバ２００が接続されている。
【００４０】
このアドレス情報管理システムにおいて、端末装置１００の電源を投入し、インターネット２への接続を指示すると、インターネット２を介してアドレス情報管理サーバ１に接続し、ホームページとなるＷＥＢページをテレビ受像器１５０に表示するとともに、画面下部のテロップ表示部３１０にテロップ表示が行なわれる（図８参照）。端末装置１００の利用者は、リモコン１６０（図９参照）によりテロップ表示部３１０の番号を選択し、所望のＷＥＢページを閲覧することができる。テロップ表示される番号とタイトルは、アドレス情報管理サーバ１から全ての端末装置１００に対して共通に提供されるものと、個々の端末装置１００専用のものとからなっている。個々の端末装置１００専用の番号とタイトルは、端末装置１００内部ではなく、アドレス情報管理サーバ１に、その端末装置１００用のブックマークとして記憶されており、端末装置１００からブックマーク送信要求があると、アドレス情報管理サーバ１では、登録された端末装置１００であるか否かを認証した上で、その端末装置１００用のブックマーク情報を送信する。これを受信した端末装置１００は、テロップ表示部３１０に表示させる。また、端末装置１００がテロップ表示から番号やタイトルを選択したり、ＷＥＢページ内のリンクを選択したりして特定のＷＥＢページを閲覧した場合には、その閲覧ＷＥＢページのＵＲＬアドレスを履歴情報としてアドレス情報管理サーバ１に記憶し、閲覧頻度の高いＷＥＢページや直近に閲覧したＷＥＢページのアドレスを、その端末装置１００用のブックマークに追加し、閲覧頻度の落ちたアドレスをブックマークから削除するようにして、ブックマークを更新している。
【００４１】
次に、以上の構成を有する本実施形態のアドレス情報管理システムの構成要素であるアドレス情報管理サーバ１と端末装置１００の構成について順に説明する。まず、図２を参照して、アドレス情報管理サーバ１の構成について説明する。図２は、アドレス情報管理サーバ１の構成を示すブロック図である。図２に示すように、アドレス情報管理サーバ１は、周知のワークステーション等の一般的な構成からなり、アドレス情報管理サーバ１全体の制御を行なうＣＰＵ１０を中心に構成されている。ＣＰＵ１０は、各種プログラムを格納したＲＯＭ１２と、必要に応じて入力された情報や処理中のデータを格納するＲＡＭ１３と、Ｉ／Ｏインタフェイス４０とに接続されている。Ｉ／Ｏインタフェイス４０には、文字や各種操作指令等を入力するためのキーボード２６を制御するキーコントローラ２５と、入力されたテキスト等を表示するためのディスプレイ２２を制御するビデオコントローラ２１と、各種のアプリケーションプログラム等のプログラム、データ等を記録したＣＤ−ＲＯＭ２９を読み込むためのＣＤ−ＲＯＭドライブ２８と、各種のアプリケーションプログラムやデータベースを格納した読み書き可能なハードディスクや光ディスク等からなる外部記憶装置３０、インターネット２に接続されたルータ５１に接続したＬＡＮカード５０が接続されている。
【００４２】
ここで、外部記憶装置３０には、オペレーティングシステムや各種のアプリケーションプログラムを記憶したプログラム記憶エリア３１，アドレス情報管理サーバ１に接続してくる各端末装置１００の識別情報を記憶した端末識別情報データベース３２，各端末用装置１００のブックマーク情報を記憶したブックマークデータベース３３，ブックマーク情報とＷＷＷサーバのＵＲＬの対応を記憶したＵＲＬデータベース３５，各端末装置１００の閲覧行動履歴を記憶した閲覧履歴データベース３６等が設けられている。
【００４３】
次に、外部記憶装置３０に記憶されたデータベースの構成について図３〜図５を参照して説明する。図３は、端末識別情報データベース３２の構成を示す模式図であり、図４は、ブックマークデータベース３３の構成を示す模式図であり、図５は、ＵＲＬデータベース３５の構成を示す模式図であり、図６は、閲覧履歴データベース３６の構成を示す模式図である。
【００４４】
図３に示すように、識別情報記憶手段に相当する端末識別情報データベース３２には、ネットワークに接続された各端末装置１００のＭＡＣアドレスを記憶したＭＡＣアドレス欄３２１，各端末装置１００のＩＤを記憶したＩＤ欄３２２，各端末装置１００のパスワードを記憶したパスワード欄３２３，各端末装置１００の利用者の氏名を記憶した氏名欄３２４，各端末装置１００の利用者の住所を記憶した住所欄３２５，各端末装置１００の利用者の生年月日を記憶した生年月日欄３２６，各端末装置１００の利用者の性別を記憶した性別欄３２７等が用意されている。本実施形態では、各端末装置１００の導入時に、端末装置１００のＭＡＣアドレスと、端末装置１００の利用者の識別情報を端末識別情報データベース３２に登録するように構成されている。なお、後述のように、本実施形態では、アドレス情報管理サーバ１が端末装置１００の認証に用いる識別情報として各端末装置１００のＭＡＣアドレスを用いているが、ＭＡＣアドレス以外の端末識別情報データベース３３に記憶されているＩＤやパスワード等の識別情報やこれらの組み合わせを用いて認証するようにしてもよい。
【００４５】
また、図４に示すように、アドレス情報記憶手段に相当するブックマークデータベース３３には、端末装置１００のＭＡＣアドレスを記憶したＭＡＣアドレス欄３３１，その端末装置１００のテレビ受像器１５０にテロップ表示部３１０（図８参照）として流すアドレス情報の番号を記憶した番号欄３３２〜３４１が用意されている。本実施形態においては、テロップ表示に流すことができる番号は最大１０個に構成されている。そして、番号９欄３４０には、その端末装置１００の閲覧頻度が最も高いＷＥＢページを示す番号が記憶され、番号１０欄３４１には、その端末装置１００が直近に閲覧したＷＥＢページを示す番号が記憶される。番号９欄３４０と番号１０欄３４１のデータは、端末装置１００が閲覧を実行するたびに追加される閲覧履歴データベース３６（図６参照）に基づいて編集される。
【００４６】
さらに、図５に示すように、ＵＲＬデータベース３５には、端末装置１００のテレビ受像器１５０のテロップ表示部３１０に表示される番号を記憶した番号欄３５１，番号とともにテロップ表示部３１０内に表示されるタイトルを記憶したタイトル欄３５２，テロップ番号又はタイトルに対応する閲覧情報の概要を記憶した概要欄３５３，情報が提供されるＷＥＢページのＵＲＬを記憶したＵＲＬ欄３５４とが用意されている。これらの番号、タイトル、概要、ＵＲＬの組み合わせは、端末装置１００ごとに異なるものではなく、共通である。このＵＲＬデータベース３５と図４に示すブックマークデータベース３３を関連付けてデータを抽出することにより、端末装置１００ごとの専用のテロップ表示部３１０の基となるブックマーク情報が構成され、端末装置１００に送信される。例えば、ＭＡＣアドレスが「１２３０５６８３９０１」の端末装置１００のテロップ表示部３１０には、図８に示すように、「０１  行政からのお知らせ  ０２  施設予約  ０５  天気予報  １０１  ゲートボール大会  ．．．」のようなテロップが表示されることとなる。
【００４７】
また、図６に示すように、閲覧履歴データベース３６には、ＷＥＢページを閲覧した端末装置１００のＭＡＣアドレスを記憶するＭＡＣアドレス欄３６１、ＷＥＢページの閲覧日時を記憶する閲覧日時欄３６２，閲覧したＷＥＢページのＵＲＬアドレスを記憶する閲覧先ＵＲＬ欄３６３が用意されている。端末装置１００で利用者が特定のＷＥＢページを閲覧する都度、その閲覧先のＵＲＬと閲覧日時が端末装置１００を識別するＭＡＣアドレスとともに記憶される。閲覧履歴データベース３６に記憶された閲覧先ＵＲＬは、後述するように、ブックマークデータベース３３及びＵＲＬデータベース３５を編集する際の元データとなる。
【００４８】
次に、図７を参照して、端末装置１００の構成について説明する。図７は、端末装置１００の構成を示すブロック図である。図７に示すように、ＣＡＴＶのチューナーとしての機能も有する端末装置１００は、表示手段としてのテレビ受像器１５０に接続され、インターネット２上のＷＥＢサーバ２００に置かれたＷＥＢページの閲覧をテレビ受像器１５０上で可能に構成されている。端末装置１００は、端末装置１００全体の制御を行なうＣＰＵ１１０を中心に構成されている。ＣＰＵ１１０は、各種プログラムを格納したＲＯＭ１２０と、必要に応じて入力された情報や処理中のデータを格納するＲＡＭ１３０と、Ｉ／Ｏインタフェイス１４０とに接続されている。Ｉ／Ｏインタフェイス１４０には、インターネット２上に置かれたＣＡＴＶの放送装置等から構成される映像サーバ（図示外）から映像コンテンツを受信する映像入力部１０２、アドレス情報管理サーバ１やＷＥＢサーバ２００等とデジタルデータの送受信を行なう情報入出力部１０３、テレビ受像器１５０に映像を出力する映像出力部１５５、入力手段であるリモコン１６０からの入力情報を受け付ける操作入力部１６５が接続されている。
【００４９】
次に、図８を参照して、端末装置１００のテレビ受像器１５０の表示画面３００について説明する。図８は、端末装置１００のテレビ受像器１５０の表示画面の例を示す模式図である。図８に示すように、表示画面３００は、表示画面下部に設けられたテロップ表示部３１０と、その上部のＷＥＢページ閲覧部３２０とから構成されている。テロップ表示部３１０には、ＷＥＢページ閲覧部３２０に表示される内容にかかわらず、常時左から右へ文字が流れるように表示される。テロップ表示部３１０には、リモコン１６０により選択できる番号とタイトルの組み合わせが１０個程度、順に繰り返し表示される。なお、テロップ表示部３１０は、画面下部に限られるものではなく、画面上部や画面左右の一方に設けられていてもよい。テロップ表示部３１０には、例えば、図８に示すように、「０１  行政からのお知らせ  ０２  施設予約  ０５  天気予報  １０１  ゲートボール大会  ．．．」のようなテロップが常時移動しつつ表示される。利用者は、このようなテロップ表示部３１０の表示を見て、番号をリモコン１６０に設けられた数字ボタン１６１で入力することもできるし、番号やタイトルを矢印ボタン１６２で選択し、決定ボタン１６３を押して指定することもできる（図９参照）。
【００５０】
次に、図９を参照して、端末装置１００の入力手段であるリモコン１６０について説明する。図９は、リモコン１６０の外観図である。図９に示すように、リモコン１６０は、ＴＶ等で広く普及しているリモコンと同様に、数字ボタン１６１、選択のための矢印ボタン１６２、決定ボタン１６３等を備えている。数字ボタン１６１は、数字の入力の他、各ボタンを数回押すことで順にアルファベットやひらがなが入力できるような携帯電話機等で用いられている周知の構成となっている。操作者は、テレビ受像器１５０のテロップ表示部３１０にテロップ表示された数字を数字ボタン１６１から直接入力したり、テロップ表示のタイトルを矢印ボタン１６２で選択し、決定ボタン１６３で決定することによりＵＲＬを指定できる。なお、矢印ボタン１６２で番号やタイトルをハイライトさせると、概要がポップアップされて表示され、閲覧するか否かを決定するための判断材料が提供される。このようにして指定したＵＲＬの情報は、ＷＥＢページ閲覧部３２０に表示され、操作者は所望のＷＥＢページを閲覧できる。また、テロップ表示部３１０からＵＲＬの直接指定メニューを選択した場合には、テレビ受像器１５０の画面にキーボードを表示させ、そのキーボード上のキーを矢印ボタン１６２で選択してＵＲＬを指定したり、数字ボタン１６１からアルファベットを入力してＵＲＬを指定したりできるように構成されている。
【００５１】
次に、このように構成されたアドレス情報管理システムの動作について図１０及び図１１を参照して説明する。図１０は、アドレス情報管理サーバ１で行われる処理の流れを示すフローチャートである。図１１は、端末装置１００の処理の流れを示すフローチャートである。
【００５２】
まず、アドレス情報管理サーバ１では、テロップ表示情報の提供、閲覧要求があった番号に対応するＵＲＬ情報の提供、端末装置１００の閲覧行動に基づくブックマークの編集処理を繰り返し実行している。
【００５３】
図１０に示すように、アドレス情報管理サーバ１では、処理が開始されると、まず、各端末装置１００に対し、共通テロップ情報を送信する（Ｓ１０）。共通テロップ情報は、アドレス情報管理サーバ１から端末装置１００に対して提供したい共通の情報であり、例えば、行政情報や、行政関係の施設予約、災害時の緊急情報などが考えられる。各端末装置１００から固有のブックマークの送信要求がなければ、常時この共通テロップ情報に基づいたテロップが、テロップ表示部３１０に流される。尚、本実施形態では、アドレス情報管理サーバ１から端末装置１００に提供されるデータの形式が既にテロップ表示を行える形式になっているものを想定しているが、テロップ表示データの内容のみを送信し、端末装置１００側に表示用のプログラムを導入しておき、テロップ表示用に加工するように構成してもかまわない。
【００５４】
次に、いずれかの端末装置１００からブックマーク送信要求があったか否かを判断する（Ｓ１２）。ブックマーク送信要求がなければ（Ｓ１２：ＮＯ）、そのままＳ２４に進む。ブックマーク送信要求があった場合には（Ｓ１２：ＹＥＳ）、その端末装置１００からＭＡＣアドレスを受信して（Ｓ１３）、端末識別情報データベース３２を検索する（Ｓ１４）。各端末装置１００からのブックマーク送信要求は、端末装置１００のＭＡＣアドレスとともに送信されてくるので、認証のために、端末識別情報データベース３２を検索して該当のＭＡＣアドレスが端末識別情報データベース３２内に登録されているか否かを確認するものである。そして、検索した結果、受信したＭＡＣアドレスが端末識別情報データベース３２内にあるか否かを判断し（Ｓ１６）、受信ＭＡＣアドレスが端末識別情報データベース３２内になかった場合には（Ｓ１６：ＮＯ）、その端末装置１００に対し、認証拒否メッセージを表示するテロップ情報を送信する（Ｓ１８）。そして、Ｓ１２に戻る。認証拒否テロップ情報を受信した端末装置１００では、テレビ受像器１５０に認証拒否メッセージをテロップとして表示させる（図１１、Ｓ１３６参照）。
【００５５】
受信ＭＡＣアドレスが端末識別情報データベース３２内にあった場合には（Ｓ１６：ＹＥＳ）、ブックマーク送信要求を行なった端末装置１００が認証できたので、ブックマークデータベース３３を端末装置１００のＭＡＣアドレスで検索し、さらに、ＵＲＬデータベース３５と関連付けて、対応するブックマーク情報を取り出す（Ｓ２０）。そして、ブックマーク送信要求をしてきた端末装置１００に対し、取り出したブックマーク情報を送信する（Ｓ２２）。送信するブックマーク情報は、既にテロップ表示用に加工されたものであってもよいし、ブックマークデータそのものを端末装置１００に送信し、端末装置１００側でテロップ表示用に加工処理してから表示させるように構成してもよい。
【００５６】
次に、端末装置１００がＷＥＢページの閲覧要求をしてきたか否かを判断する（Ｓ２４）。閲覧要求がされていない場合には（Ｓ２４：ＮＯ）、Ｓ１２に戻る。
【００５７】
閲覧要求がなされた場合には（Ｓ２４：ＹＥＳ）、その閲覧要求が、テロップ表示の番号やタイトルを指定してなされたものか、又は、直接ＵＲＬを指定してなされたものかを判断する（Ｓ２６）。
【００５８】
ＵＲＬの指定でなく、テロップ表示の番号やタイトルを指定してなされた場合には（Ｓ２６：ＮＯ）、指定された番号又はタイトルをキーにしてＵＲＬデータベース３５を検索し、対応するＵＲＬ情報を取り出す（Ｓ２８）。そして、そのＵＲＬ情報を端末装置１００に送信する（Ｓ３０）。ＵＲＬ情報を受信した端末装置１００では、そのＵＲＬを有するＷＥＢサーバ２００にアクセスして閲覧情報を要求し、得られた情報に基づいてテレビ受像器１５０に表示させる（後述）。アドレス情報管理サーバ１では、閲覧されたＵＲＬと閲覧日時とを端末装置１００のＭＡＣアドレスに対応させて閲覧履歴データベースに記憶する（Ｓ３２）。
【００５９】
一方、端末装置１００のテレビ受像器１５０に表示されるテロップ表示には、ＵＲＬ指定受付メニューが「１００  ＵＲＬ入力」（図５参照）のような形で用意されており、この番号を指定すると、テレビ受像器１５０にキーボードを表示させそのキーボードを選択してＵＲＬを入力したり、リモコン１６０の数字ボタン１６１から直接ＵＲＬを入力して閲覧要求をすることができる。また、既に表示されたＷＥＢページ内のリンクを選択することによって、ＵＲＬを指定した閲覧要求をなすこともできる。このようにして、ＵＲＬが直接指定された場合には（Ｓ２６：ＹＥＳ）、その閲覧先ＵＲＬを端末装置１００のＭＡＣアドレスに対応させて閲覧履歴データベース３６に記憶する（Ｓ３２）。
【００６０】
次に、Ｓ３２で閲覧履歴データベース３６に追加した閲覧先ＵＲＬが、ＵＲＬデータベース３５に閲覧先ＵＲＬが既に存在しているか否かを判断する（Ｓ３４）。ＵＲＬデータベース３５に存在する場合には（Ｓ３４：ＹＥＳ）、そのままＳ３８に進む。ＵＲＬデータベース３５に閲覧先ＵＲＬが存在しない場合には（Ｓ３４：ＮＯ）、ＵＲＬデータベース３５に追加してテロップ表示用の番号を生成する（Ｓ３６）。そして、ブックマークデータベース３３の番号１０欄３４１に、テロップ表示用の番号を記憶する（Ｓ３８）。なお、ブックマークデータベース３３には、直前に閲覧したＵＲＬが常に上書きされて記憶されるが、前回閲覧したＵＲＬもブックマークデータベース３３に残すように構成してもよい。
【００６１】
次に、閲覧履歴データベース３６をＭＡＣアドレスとＵＲＬをキーにして加工し、Ｓ２８で追加された閲覧先ＵＲＬの頻度がその端末装置１００の閲覧先ＵＲＬの中で最も頻度が高くなっているか否かを判断する（Ｓ４０）。頻度が最も高くなっていなければ（Ｓ４０：ＮＯ）、Ｓ４４に進む。頻度が最も高くなっていれば（Ｓ４０：ＹＥＳ）、そのＵＲＬのテロップ表示用の番号をブックマークデータベース３３の番号９欄３４０に記憶する（Ｓ４２）。なお、ここでは、閲覧頻度の最も高いＵＲＬのみをブックマークデータベース３３に加えているが、閲覧頻度の高いほうから複数のＵＲＬを選択してブックマークデータベース３３に加えるように構成してもよい。そして、以上の処理により修正されたブックマーク情報を端末装置１００に送信する（Ｓ４４）。以上Ｓ３２〜Ｓ４４の処理により、閲覧履歴に基づいたブックマークが生成され、直前に閲覧したＷＥＢページに戻ったり、よく見るＷＥＢページを閲覧したりすることが、端末装置１００のテロップ表示部３１０からできるようになる。
【００６２】
次に、端末装置１００の動作について説明する。図１１に示すように、端末装置１００では、電源を投入し、インターネット接続を指示すると、まず、ホームページに設定されているＷＥＢページが置かれているＷＥＢサーバ２００に接続して、閲覧情報を要求する（Ｓ１００）。そして、そのＷＥＢサーバ２００から情報を受信し（Ｓ１０２）、受信した情報に基づいてホームページをテレビ受像器１５０に表示させる（Ｓ１０４）。次に、アドレス情報管理サーバ１から共通テロップ情報を受信したか否かを判断する（Ｓ１０６）。共通テロップ情報を受信していない場合には（Ｓ１０６：ＮＯ）、受信するまで待機する。受信した場合には（Ｓ１０６：ＹＥＳ）、その共通テロップ情報を、図８に示すようにテロップ表示部３１０に左から右へ流れるようにテロップ表示させる（Ｓ１０８）。
【００６３】
次に、テロップ表示部３１０中の番号又はタイトルがリモコン１６０によって選択されたか否かを判断する（Ｓ１１０）。選択された場合には（Ｓ１１０：ＹＥＳ）、その選択された番号又はタイトルが、ＵＲＬ入力を指示するものであるか否かを判断する（Ｓ１１２）。図５に示すように、テロップ表示で示される選択肢のうち１つは「１００  ＵＲＬ入力」であり、番号１００又は「ＵＲＬ入力」がリモコン１６０で選択されると（Ｓ１１２:ＹＥＳ）、テレビ受像器１５０の画面３００にキーボードを表示し（Ｓ１１４）、リモコン１６０でキー選択させることにより、入力を受け付ける（Ｓ１１６）。ここで、キーボードの表示（Ｓ１１４）に関わらず、リモコン１６０の数字ボタン１６１を押すことにより、直接なされた入力を受け付けることもできる（Ｓ１１６）。
【００６４】
ＵＲＬ入力受付終了後、もしくは、テロップ表示から選択された番号又はタイトルがＵＲＬ入力指示でなかった場合には(Ｓ１１２：ＮＯ)、アドレス情報管理サーバ１に対して、選択されたテロップ番号やタイトルを送信してＷＥＢページの閲覧要求を行う（Ｓ１１８）。アドレス情報管理サーバ１は、前述のように、閲覧要求に応えて、ＵＲＬデータベース３５を検索して対応するＵＲＬ情報を送信してくるので、これを受信する（Ｓ１２０）。尚、端末装置１００において直接ＵＲＬを入力した場合は、アドレス情報管理サーバ１からＵＲＬの送信を待つ必要はないので、このステップはスキップしてもよいし、入力したＵＲＬをアドレス情報管理サーバ１がそのまま端末装置１００に返すようにしてもよい。
【００６５】
ＵＲＬ情報を受信したら、そのＵＲＬのＷＥＢサーバ２００に接続して、閲覧のための情報を送信するように要求する（Ｓ１２２）。そして、この要求に対してＷＥＢサーバ２００から送信されてくる閲覧情報を受信し（Ｓ１２４）、その情報に基づいてテレビ受像器１５０のＷＥＢページ閲覧部３２０にＷＥＢページを表示させる（Ｓ１２６）。
【００６６】
一方、テロップ表示中の番号又はタイトルが選択されていない場合は（Ｓ１１０：ＮＯ）、表示されている画面３００の中にあるリンクが選択されたか否かを判断する（Ｓ１２８）。リンクが選択されていれば（Ｓ１２８：ＹＥＳ）、リンク先に対する閲覧要求なので、アドレス情報管理サーバ１に対して、リンク先のＵＲＬ情報を送信して閲覧要求を行う（Ｓ１１８）。そして、アドレス情報管理サーバ１がそのままＵＲＬ情報を返信してくるか（Ｓ１２０）、Ｓ１２０のＵＲＬ情報受信処理はスキップして、リンク先のＵＲＬのＷＥＢサーバ２００に接続して、閲覧のための情報を送信するように要求する（Ｓ１２２）。そして、この要求に対してＷＥＢサーバ２００から送信されてくる閲覧情報を受信し（Ｓ１２４）、その情報に基づいてテレビ受像器１５０のＷＥＢページ閲覧部３２０にＷＥＢページを表示させる（Ｓ１２６）。
【００６７】
以上のＷＥＢページの閲覧処理（Ｓ１１０〜Ｓ１２６）が終了した後、又は、テロップ表示中の番号又はタイトルが選択されておらず（Ｓ１１０：ＮＯ）、表示されている画面３００の中にあるリンクが選択されてもいない場合は（Ｓ１２８：ＮＯ）、ブックマーク情報要求がリモコン１６０により選択されたか否かを判断する（Ｓ１３０）。ブックマーク情報要求が選択されていなければ（Ｓ１３０:ＮＯ）、Ｓ１３７に進む。
【００６８】
ブックマーク情報要求が選択された場合には（Ｓ１３０:ＹＥＳ）、アドレス情報管理サーバ１に対してブックマーク情報を要求する（Ｓ１３２）。このブックマーク情報要求は、端末装置１００のＭＡＣアドレスとともに送信される。アドレス情報管理サーバ１は、送信されてきたブックマーク情報要求を、そのＭＡＣアドレスをチェックすることにより認証し、認証できなかった場合には認証拒否テロップ情報を送信する（図１０、Ｓ１８）。そこで、端末装置１００では、このような認証拒否テロップ情報を受信したか否かを判断し（Ｓ１３４）、認証拒否テロップ情報を受信した場合には（Ｓ１３４:ＹＥＳ）、受信したテロップ情報に基づき「認証が拒否されました」という拒否メッセージをテロップ表示部３１０に表示させる（Ｓ１３６）。
【００６９】
認証拒否テロップ情報を受信しなければ（Ｓ１３４：ＮＯ）、アドレス情報管理サーバ１で認証が成功し、この端末装置１００用のブックマーク情報が送信されてきたか否かを判断する（Ｓ１３７）。また、ＷＥＢページの閲覧をした後に、ブックマークデータベース３３が修正されてアドレス情報管理サーバ１から送信されてくるので、この場合には、Ｓ１３０の判断でＮＯになった後、ブックマーク情報が送信されてきたか否か確認する（Ｓ１３７）。ブックマーク情報が送信されてきていれば（Ｓ１３７：ＹＥＳ）、そのブックマーク情報を受信し（Ｓ１３８）、受信したブックマーク用のテロップ情報に基づき、画面３００にブックマークテロップを表示させる（Ｓ１４０）。そして、Ｓ１１０に戻る。また、ブックマーク情報が送信されてきていなければ（Ｓ１３７：ＮＯ）、Ｓ１１０に戻る。
【００７０】
尚、ブックマーク情報の要求は、利用者が選択した場合のみに限らず、所定の時間間隔で自動的に要求をアドレス情報管理サーバ１に送信するように構成してもよい。この場合には、認証拒否テロップ情報は表示せず、そのまま共通テロップの表示を継続するようにすればよい。
【００７１】
以上説明したように、本実施形態のアドレス情報管理システムによれば、端末装置１００でブックマークの登録操作をしなくても、アドレス情報管理サーバ１が個々の端末装置１００のブックマーク情報を管理し、接続してきた端末装置１００をＭＡＣアドレスを用いて認証し、ブックマーク情報を送信するので、端末装置１００では、このブックマーク情報をテロップ表示部３１０にテロップ表示させ、利用者が番号を指定することにより簡単に所望のＷＥＢページを閲覧することができる。
【００７２】
なお、本実施形態において、図１０のフローチャートのＳ１３でＭＡＣアドレスを受信するＣＰＵ１０が識別情報取得手段として機能する。また、図１０のフローチャートのＳ２２においてブックマーク情報を送信するＣＰＵ１０がアドレス情報送信手段として機能する。また、図１１のフローチャートのＳ１３８においてブックマーク用テロップ情報を受信するＣＰＵ１１０がアドレス情報受信手段として機能する。さらに、図１１のフローチャートのＳ１４０でブックマークテロップを表示させるＣＰＵ１１０がテロップ表示制御手段として機能する。また、図１１のフローチャートのＳ１１８で閲覧要求を送信するＣＰＵ１１０が閲覧情報要求手段として機能する。また、図１１のフローチャートの１２６でＷＥＢページを表示させるＣＰＵ１１０が閲覧手段として機能する。
【００７３】
なお、本発明は、上記の実施形態に限定されるものではなく、種々の変更が可能である。例えば、上記実施形態では、端末装置１００は、テレビ受像器１５０に接続した家庭用の機器であるが、端末装置としてインターネット２等のネットワークに接続している携帯電話やＰＤＡ等の携帯情報端末を用いてもよい。この場合には、携帯情報端末の液晶表示画面を表示手段として、その一部（下部や上部等）にテロップ表示部を構成し、携帯情報端末の矢印キーやテンキー、キーボード等の入力手段を用いてテロップ表示部中の番号を選択するように構成すればよい。
【産業上の利用可能性】
【００７４】
本発明は、端末装置においてネットワーク上の情報を閲覧するネットワークシステム一般に適用できる。
【図面の簡単な説明】
【００７５】
【図１】本発明によるアドレス情報管理システムの一例を示す概念図である。
【図２】アドレス情報管理サーバ１の構成を示すブロック図である。
【図３】端末識別情報データベース３２の構成を示す模式図である。
【図４】ブックマークデータベース３３の構成を示す模式図である。
【図５】ＵＲＬデータベース３５の構成を示す模式図である。
【図６】閲覧履歴データベース３６の構成を示す模式図である。
【図７】端末装置１００の構成を示すブロック図である。
【図８】端末装置１００のテレビ受像器１５０の表示画面の例を示す模式図である。
【図９】リモコン１６０の外観図である。
【図１０】アドレス情報管理サーバ１で行われる処理の流れを示すフローチャートである。
【図１１】端末装置１００の処理の流れを示すフローチャートである。
【符号の説明】
【００７６】
１      アドレス情報管理サーバ
２      インターネット
１０      ＣＰＵ
３０      外部記憶装置
３２      端末識別情報データベース
３３      ブックマークデータベース
３５      ＵＲＬデータベース
３６      閲覧履歴データベース
１００      端末装置
１１０      ＣＰＵ
１５０      テレビ受像器
１６０      リモコン
２００      ＷＥＢサーバ
２３０      データベース
３００      画面
３１０      テロップ表示部
【図１】
2005128616.tif 000003
【図２】
2005128616.tif 000004
【図３】
2005128616.tif 000005
【図４】
2005128616.tif 000006
【図５】
2005128616.tif 000007
【図６】
2005128616.tif 000008
【図７】
2005128616.tif 000009
【図８】
2005128616.tif 000010
【図９】
2005128616.tif 000011
【図１０】
2005128616.tif 000012
【図１１】
2005128616.tif 000013